(57)【要約】  【課題】  ディスクを着脱する際には、ディスクを装着しやすく、トラバース部を保護でき、外観の良いディスク装置を提供するものである。  【解決手段】  ディスク載置面３ａに重ならない第１の位置と開口部３ｂに重なる第２の位置との間を移動可能に構成されるとともに、ディスク４をターンテーブル１に保持させるクランパを備えたクランプベース５と、開口部３ｂを開閉可能な開閉部材９とを備え、ディスク４をクランプさせる際は、クランプベース５を第１の位置から第２の位置へ移動させ、開閉部材９を移動させて開口部３ｂを開き、トラバースベース５を待機位置から記録再生位置へ移動させ、ターンテーブル１とクランパ１１とでディスク４をクランプさせる。【選択図】  図３
2006114204.tif 000002
【特許請求の範囲】
【請求項１】
ディスクに情報信号を記録／再生可能なディスク装置であって、
前記ディスクに対して情報信号を記録／再生させる光ピックアップと、前記光ピックアップが前記ディスクに対して情報信号を記録／再生可能な位置で前記ディスクを回転させるターンテーブルとが搭載され、記録再生位置と待機位置との間を移動可能なトラバースベースと、
前記トラバースベースが記録再生位置にある時の前記ターンテーブルのディスク保持部の位置と、前記トラバースベースが待機位置にある時の前記ターンテーブルのディスク保持部の位置との間に固定配置され、かつ、前記ディスクを載置可能なディスク載置面と、前記トラバースベースを待機位置と記録再生位置との間で移動可能なように前記ディスク載置面に形成されている開口部とを備えたフロントカバーと、
前記ディスク載置面に平行でかつ前記ディスク載置面に重ならない第１の位置と前記開口部に重なる第２の位置との間を移動可能に構成されるとともに、前記第２の位置にある時に前記開口部を覆うことが可能な大きさを有し、前記ディスクを前記ターンテーブルに保持させるクランパを備えたクランプベースと、
前記フロントカバーの裏側に移動自在に配され、移動されることで前記開口部を開閉可能な開閉部材とを備え、
前記ディスクをクランプさせる際は、前記クランプベースを待機位置から前記開口部と重なる位置へ移動させ、次に前記開閉部材を前記開口部を閉じる位置から開く位置へ移動させ、次に前記トラバースベースを前記待機位置から前記記録再生位置へ移動させ、前記ターンテーブルと前記クランパとで前記ディスクをクランプさせることを特徴とするディスク装置。
【請求項２】
前記ディスクの着脱状態から記録再生状態へ移行させる際は、前記クランプベースを、前記開閉部材が開くことによって生じる開口部を覆う位置に移動させ、
記録再生状態から前記ディスクの着脱状態へ移行させる際には、前記クランプ部材を、前記開閉部材が閉じて前記開口部が無くなるまで前記開口部を覆う位置に留め、その後、待機位置へ移動させるように構成されている請求項１記載のディスク装置。
【請求項３】
前記開閉部材は、前記ターンテーブルと対向する部分に凹部が設けられている請求項１記載のディスク装置。
【発明の詳細な説明】
【技術分野】
【０００１】
本発明は、ＣＤ（Compact Disk）やＤＶＤ（Digital Versatile Disk）等の記録用または再生用のディスク、あるいはケースに収納されているディスクを装着可能し、ディスクに対して各種情報信号を記録または再生させるためのディスク装置に関するものである。
【背景技術】
【０００２】
近年、ＤＶＤ等の情報媒体に対して、映像信号等の情報信号を記録または再生可能なＤＶＤレコーダーが急速に普及し始めているが、今後の更なる普及拡大のために、従来とは形態を変えた装置の開発が求められている。
【０００３】
従来のディスク装置において、ユーザーがディスクを装置に装着可能な構成には、トレイ方式やスロットイン方式といった形態が主流となっている。また、他の構成としては、特許１に記載されたものが知られている。
【０００４】
特許文献１に記載のディスク装置は、ターンテーブルが配された本体に、ターンテーブルを含む本体前面を覆う蓋体が、開閉自在に配されている。蓋体には、ディスクをクランプさせるためのクランパが備えられている。
【０００５】
ディスク装置にディスクを装着するには、ディスクを本体と蓋体との間に入れ、蓋体を閉じる。これにより、ディスクがターンテーブルとクランパとによってクランプされる。
【特許文献１】実開平１−１５１４５３号公報
【発明の開示】
【発明が解決しようとする課題】
【０００６】
しかしながら、上記の従来の構成では、ターンテーブルが、本体におけるディスク装着面から突出して配されているため、ユーザーがディスクを装置に装着する際、ディスクがターンテーブルに当たり、ディスクやターンテーブルに傷を付けてしまう可能性があるという問題がある。また、ディスク着脱のために蓋体を開いた際、ターンテーブルが外部から見えてしまうため、外観上良くないという問題がある。
【０００７】
本発明は上記従来の問題点を解決するもので、ディスクを着脱する際には、ディスクを装着しやすく、トラバース部を保護でき、外観の良いディスク装置を提供することを目的とする。
【課題を解決するための手段】
【０００８】
この目的を達成するために本発明のディスク装置は、ディスクに情報信号を記録／再生可能なディスク装置であって、前記ディスクに対して情報信号を記録／再生させる光ピックアップと、前記光ピックアップが前記ディスクに対して情報信号を記録／再生可能な位置で前記ディスクを回転させるターンテーブルとが搭載され、記録再生位置と待機位置との間を移動可能なトラバースベースと、前記トラバースベースが記録再生位置にある時の前記ターンテーブルのディスク保持部の位置と、前記トラバースベースが待機位置にある時の前記ターンテーブルのディスク保持部の位置との間に固定配置され、かつ、前記ディスクを載置可能なディスク載置面と、前記トラバースベースを待機位置と記録再生位置との間で移動可能なように前記ディスク載置面に形成されている開口部とを備えたフロントカバーと、前記ディスク載置面に平行でかつ前記ディスク載置面に重ならない第１の位置と前記開口部に重なる第２の位置との間を移動可能に構成されるとともに、前記第２の位置にある時に前記開口部を覆うことが可能な大きさを有し、前記ディスクを前記ターンテーブルに保持させるクランパを備えたクランプベースと、前記フロントカバーの裏側に移動自在に配され、移動されることで前記開口部を開閉可能な開閉部材とを備え、前記ディスクをクランプさせる際は、前記クランプベースを待機位置から前記開口部と重なる位置へ移動させ、次に前記開閉部材を前記開口部を閉じる位置から開く位置へ移動させ、次に前記トラバースベースを前記待機位置から前記記録再生位置へ移動させ、前記ターンテーブルと前記クランパとで前記ディスクをクランプさせるものである。
【０００９】
この構成によって、ディスク着脱状態から記録再生状態まで、ターンテーブルを常にカバーで隠して、装置正面からは見えない状態にすることで、ディスクを装着しやすく、トラバース部を保護し、外観を良くすることができるという優れた効果が得られる。
【発明の効果】
【００１０】
以上のように本発明は、ディスク載置面に設けたターンテーブル挿通用の開口部に開閉部材を備え、開閉部材及びディスクをターンテーブルにクランプするクランプ部材により、ディスク着脱状態から記録再生状態まで常にトラバース部を隠して、装置正面から見えないようにすることで、ディスクを装着しやすく、トラバース部を保護し、外観を良くすることができるという優れた効果が得られる。
【発明を実施するための最良の形態】
【００１１】
本発明のディスク装置は、前記ディスクの着脱状態から記録再生状態へ移行させる際は、前記クランプベースを、前記開閉部材が開くことによって生じる開口部を覆う位置に移動させ、記録再生状態から前記ディスクの着脱状態へ移行させる際には、前記クランプ部材を、前記開閉部材が閉じて前記開口部が無くなるまで前記開口部を覆う位置に留め、その後、待機位置へ移動させるように構成することができる。
【００１２】
また、前記開閉部材は、前記ターンテーブルと対向する部分に凹部が設けられている構成とすることができる。
【００１３】
以下、本発明の好適な実施の形態について、図面を参照しながら説明する。
【００１４】
（実施の形態１）
まず、本発明のディスク装置が搭載されたディスクシステムの構成について説明する。
【００１５】
図１及び図２は、ディスクシステムの外観を示す斜視図であり、図１は記録再生状態で、図２はディスク装着状態を示す。「記録再生状態」とは、ターンテーブルとクランパ（いずれも図示せず）によってディスク４がクランプされ、ディスク４に対して情報信号の記録再生が可能な状態を指す。また、「ディスク装着状態」とは、クランプベース１０（後述）が外部から目視できない位置に退避され、ユーザーが、装置に対してディスク４を着脱可能な状態を指す。
【００１６】
図１及び図２において、ディスクシステム５０は、据え置き型のディスクプレーヤーまたはディスクレコーダーであり、正面部に開口部５２が形成されている。開口部５２内には、ディスクをクランプし情報信号を記録または再生可能なディスク装置（後述）が、縦置きで内蔵されている。ユーザーは開口部５２を通してディスク４をディスク装置へ装着させることができる。また、ディスクシステム５０において、開口部５２は、接地面である底面に対して略垂直な正面部に形成されており、ユーザーは、ディスク４を立てた状態でディスク装置に対して着脱させることができる。
【００１７】
また、ディスクシステム５０における開口部５２の近傍には、ディスクシステム５０の各種操作を行うことができる操作部５１が配されている。操作部５１で行える操作は、例えば、ディスク４に記録された情報信号を再生する再生操作、ディスク４に情報信号を記録させる記録操作、ディスク４を記録再生状態からディスク装着状態へ移行させるイジェクト操作などがあるが、これらに限定されるものではない。
【００１８】
フロントカバー３は、ユーザーによって、ディスク装置にディスク４が装着された際にディスク４を支持するものである。フロントカバー３は、ディスク載置面３ａと、ディスク載置面３ｑの下部に配されたターンテーブルや光ピックアップを露出させる開口部３ｂと、ディスク４の下方向への位置規制を行うリブ３ｃとを備えている。ディスク装置へ装着されたディスク４は、記録面の一部がディスク載置面３ａで支持され、ディスク４の外周縁部の一部（下端）がリブ３ｃで支持される。
【００１９】
開閉部材９は、略板状の部材で構成され、主面は開口部３ｂを覆うことが可能な大きさを有している。また、開閉部材９は、ディスク載置面３ａの裏面側に配され、矢印ＰあるいはＱに示す方向へ移動自在に配されている。
【００２０】
クランプベース１０は、ディスクシステム５０内におけるディスク載置面３ａ上を、矢印ＰあるいはＱに示す方向へ移動自在に配されている。また、クランプベース１０の裏面には、ディスク４をクランプするクランパ１１が配されている。
【００２１】
以下、ディスクシステム５０の動作について説明する。
【００２２】
まず、ディスクシステム５０の電源がオフの時は、図２に示す状態となっている。すなわち、クランプベース１０は外部に露出しない待機位置にあり、開閉部材９は開口部３ｂを覆う位置にある。
【００２３】
ディスクシステム５０を動作させる際は、図２に示す状態において操作部５１を操作して、ディスクシステム５０の電源をオンにする。次に、ディスク４をディスク載置面３ａ及びリブ３ｃ上に載せる。次に、操作部５１における例えば再生ボタンを操作すると、クランプベース１０が矢印Ｑに示す方向へ移動を開始し、クランプベース１０がディスク４の中心と重なる位置まで移動された後、開閉部材９が矢印Ｑに示す方向へ移動が開始される。開閉部材９が待機位置まで移動された状態が図１である。図１に示す状態では、クランプベース１０は開口部３ｄ（図２参照）を覆う位置にあり、開閉部材９は開口部３ｄを開放する位置にある。
【００２４】
次に、ターンテーブルや光ピックアップが搭載されたトラバース（図示せず）が、ディスク４に対してアクセス可能な位置まで移動されることにより、ターンテーブルとクランパ１１とでディスク４をクランプさせることができる。このとき、ディスク４は、ディスク４の中心孔がターンテーブルに設けられたテーパ部に当接しながら、テーパ部に案内されて上方に移動して、ディスク４の外周縁部が、リブ３ｃに接しない位置に移動される。
【００２５】
次に、ターンテーブルがディスク４を回転させ、光ピックアップでディスク４の情報層へ光ビームを照射させることにより、ディスク４に記録された情報信号を再生させることができる。なお、上記の説明では、ディスク４の再生動作について説明したが、ディスク４に情報信号を記録させる記録動作であっても、同様に動作を行うことができる。また、上記説明では、電源をオンにした後、再生ボタンを操作する構成としたが、電源がオフの状態で再生ボタンのみを操作することで、ディスクシステム５０の電源がオンになり、再生状態へ移行させるよう制御してもよい。
【００２６】
次に、ディスク４をディスクシステム５０から取り出す際は、図１に示す状態において、操作部５１におけるイジェクトボタンを操作することで、光ピックアップからの光ビームの照射動作が停止され、ターンテーブルの回転動作が停止される。次に、トラバースが待機位置（ディスク４の中心方向の奥側）へ移動されることで、クランパ１１とターンテーブルとによるクランプ状態が解除される。次に、クランプベース１０と開閉部材９とが、矢印Ｐに示す方向へ移動を開始し、図２に示す位置へ移動される。これにより、ユーザーが、ディスク載置面３ａ及びリブ３ｃ上に載置されているディスク４を取り出すことができる。
【００２７】
次に、実施の形態１におけるディスク装置の具体的な構成について説明する。
【００２８】
図３は、本発明の実施の形態１におけるディスク装置のディスク装着状態の平面図である。図４はディスク装置のディスク装着状態の側面断面図で、図３におけるＺ−Ｚ部の断面である。図７は図３のディスク装着状態からクランプベースが開口部と投影上重なる位置（クランプ位置）まで移動が完了した状態を示す平面図である。図８はディスク装置のディスククランプ完了状態の平面図である。図９はディスク装置のディスククランプ完了状態の側面断面図で、図８におけるＹ−Ｙ部の断面である。なお、図１及び図２における構成と同様の構成については、同一番号を付与してさらに詳しく説明する。
【００２９】
図３から図９において、ターンテーブル１は、ディスク４の記録または再生時にディスク４が載置され、モータによって回転駆動されることで、ディスク４を回転させることができる。また、ターンテーブル１のディスク載置面の近傍には、テーパ部（図４参照）が形成されている。テーパ部は、ディスク４をクランプさせた時にディスク４の中心孔に挿入され、ディスク４をターンテーブル１の回転中心にアライメントして保持することができる。また、テーパ部は、ディスク４をリブ３ｃ（後述）に載置してクランプさせる際に、ディスク４の中心孔に挿入可能な位置及び形状で構成されている。
【００３０】
光ピックアップ２は、ディスク４の情報層に対して、情報信号を記録または再生する。光ピックアップ２によって記録または再生可能な情報信号は、例えば、デジタル化され信号圧縮された映像信号や音声信号や、コンピュータで取り扱うことが可能な各種情報信号である。
【００３１】
フロントカバー３は、略板状でディスク装置の前面を覆うように配され、ディスク載置面３ａと開口部３ｂとリブ３ｃとガイド部３ｄと壁部３ｅとガイド溝３ｆ〜３ｉとを備えている。
【００３２】
ディスク載置面３ａは、光ピックアップ２の光軸方向に対し直交するように配されている。また、ディスク載置面３ａは、ディスク４をディスク装置へ装着させる際に、ディスク４がフロントカバー３上に置かれた時、ディスク４の記録面を支持する面である。
【００３３】
開口部３ｂは、ディスク載置面３ａの略中央に形成されている。また、開口部３ｂは、図４及び図９に示すようにディスク装着状態と記録再生状態との切換時に、ターンテープル１のディスク載置面が挿通移動できるように設けられている。また、開口部３ｂは、光ピックアップ２と光ディスク４の情報層との間を、光ビームが照射可能なように設けられている。
【００３４】
リブ３ｃは、図３に示すようにフロントカバー３の下端近傍に設けられ、ディスク４がフロントカバー３に載置された時に、ディスク４の下側縁部を支持するものである。また、リブ３ｃの長手方向の略中央には、ディスク４の縁部に沿って支持可能であるとともにディスク４の左右方向のセンタリングが可能なように、略円弧形状の凹部８が形成されている。また、図４に示すように、リブ３ｃのディスク載置面３ａに対する略垂直方向の突出量は、本装置を縦置き（ディスク載置面３ａが、本装置の設置面に対して略垂直になるような設置方法）に設置した際に、ディスクを載置できるような寸法に設定されている。
【００３５】
ガイド部３ｄは、図７に示すように、フロントカバー３の裏面における、開口部３ｂの上端及び下端近傍に形成されている。また、ガイド部３ｄには、図４に示すように開閉部材９がスライド可能に支持されている。
【００３６】
壁部３ｅは、図３に示すように、ディスク載置面３ａの周囲に形成され、ディスク載置面３ａにディスク４が載置された際に、ディスク４の横方向への大まかな位置規制を行う。
【００３７】
ガイド溝３ｆ及び３ｇは、フロントカバー３の上端に形成され、クランプベース１０の上端がスライド可能に支持されている。図５に示すように、ガイド溝３ｆにクランプベース１０の突起１０ｂが係合されていることにより、図５における左右方向の位置規制を行っているとともに、クランプベース１０がフロントカバー３から離脱するのを防止している。また、ガイド溝３ｇに突起１０ｃが係合されていることにより、図５における上下方向の位置規制を行っている。
【００３８】
ガイド溝３ｈ及び３ｉは、フロントカバー３の下端に形成され、クランプベース１０の下端がスライド可能に支持されている。図６に示すように、ガイド溝３ｈにクランプベース１０の突起１０ｄ（後述）が係合されていることにより、図６における左右方向の位置規制を行っているとともに、クランプベース１０がフロントカバー３から離脱するのを防止している。また、ガイド溝３ｉに突起１０ｅ（後述）が係合されていることにより、図６における上下方向の位置規制を行っている。
【００３９】
シャーシ１６は、ディスク載置面３ａに対する背面側を覆っており、フロントカバー３に固定されている。
【００４０】
トラバースベース５は、ターンテーブル１と光ピックアップ２が搭載されている。また、トラバースベース５は、支軸５ａを中心に待機位置と記録再生位置との間で回動可能なように、シャーシ１６に支持されている。なお、「待機位置」とは、ターンテーブル１のディスク載置面及び光ピックアップ２が、フロントカバー３のディスク載置面３ａより突出しない位置（つまり、ディスク載置面３ａより下部に位置した状態）である。、また、「記録再生位置」とは、ターンテーブル１のディスク載置面をフロントカバー３のディスク載置面３ａより突出させて、ターンテーブル１のディスク載置面にディスク４を載置させる位置である。トラバースベース５の回動機構については図示しないが、例えば、モーターと歯車で構成される。
【００４１】
ガイド軸６には、光ピックアップ６が移動自在に支持されている。駆動モータ７は、回転駆動力を出力可能なシャフト７ａが配されている。シャフト７ａには、光ピックアップ２が螺合され、シャフト７ａを回転させることで、光ピックアップ２をガイド軸６に支持させながらディスク４の半径方向へ移動させることができる。
【００４２】
開閉部材９は、フロントカバー３の内部にスライド可能に配され、図３及び図７に示すように開口部３ｂを覆う第１の位置と、図８に示すように開口部３ｂを開放しトラバースベース５の回動動作を妨げない第２の位置との間をスライド可能としている。開閉部材９のスライド方向は、第１の位置から第２の位置へスライドする際は、図７における矢印Ｅに示す方向で、第２の位置から第１の位置へスライドする際は矢印Ｆに示す方向である。また、開閉部材９は、第１の位置にある時、開口部３ｂを介して装置内部を目視できないように覆うことが可能な形状及び大きさを有している。つまり、開閉部材９は、第１の位置にある時、開口部３ｂの鉛直方向への投影面よりも大きなサイズを有している。また、開閉部材９の裏面には、ピン９ｂが形成されている。
【００４３】
凹部９ａは、図４に示すように開閉部材９の裏面側に設けられ、開閉部材９が第１の位置にある時、ターンテーブル１の一部が、凹部９ａ内に位置するように構成されている。これにより、開閉部材９とターンテーブル１とが当接するのを防ぐことができる。なお、凹部９ａ内に位置させるものはターンテーブル１に限るものではなく、他の部材であってもよい。また、本実施の形態では凹部９ａは、開閉部材９の裏面において１カ所のみ設けているが、複数箇所設けてもよい。このように凹部９ａを設け、凹部９ａ内にターンテーブル１などの他部材を配することで、開閉部材９のスライド動作を妨げず、かつ装置全体の小型化をすることができる。
【００４４】
クランプベース１０は、図３に示すディスク装着状態において、フロントカバー３のディスク載置面３ａにディスク４を装着させる際に、ディスク４がクランプベース１０に当接しないように、ディスク載置面３ａの光ピックアップ２の光軸方向への投影面に重ならない位置に待機している。本実施の形態では、クランプベース１０は、図３に示すようにディスク載置面３ａの右側の位置に待機させているが、ディスク載置面３ａの左側の位置に待機させてもよい。また、クランプベース１０は、図３に示す待機位置から、図７に示すクランプ位置まで移動できるように構成されている。なお、「クランプ位置」とは、クランプベース１０がターンテーブル１のディスク載置面の真上に移動してクランプ動作が可能な位置のことである。また、クランプベース１０は、スライド動作の際、ディスク載置面３ａに載置されたディスク４に当接しないように、ディスク載置面３ａとの間にクリアランスを有している。また、クランプベース１０の下端には、クランプベース１０の下端を支持してガイドするラック部材１０ｇが設けられている。ラック部材１０ｇには、図６に示すようにフロントカバー３の凹部３ｈに係合される突起１０ｄと、フロントカバー３の凹部３ｉに係合される１０ｅと、移動機構２１（後述）から駆動力が伝達されるラック１０ｆとが形成されている。ラック部材１０ｇは、クランプベース１０の移動方向に沿って設けられている。
【００４５】
移動機構２１は、クランプベース１０をスライド動作可能な機構であり、二段ギヤ１７とモータギヤ１８とモータ１９とを備えている。モータ１９の出力シャフトには、モータギヤ１８が配されている。また、モータギヤ１８とラック１０ｆに噛み合うように二段ギヤ１７が配されている。これにより、モータ１９から出力される回転駆動力は、モータギヤ１８及び二段ギヤ１７を介して、ラック１０ｆに伝達され、クランプベース１０をスライド動作させることができる。
【００４６】
クランパ１１は、ターンテーブル１のディスク載置面にディスク４をクランプさせるものであり、ターンテーブル１のディスク載置面の鉛直方向に移動可能にクランプベース１０に備えられている。クランパ１１には磁性体が内蔵されており、ターンテーブル１のディスク搭載面に配されている被磁性体に、磁力で吸着される構成になっている。
【００４７】
カムレバー１３は、フロントカバー３に形成された回動軸１３ｂに、回動自在に軸支されている。また、カムレバー１３には長孔１３ａが形成され、長孔１３ａ内を開閉部材９のピン９ｂが移動自在に挿入されている。また、カムレバー１３の端部には、歯部１３ｃが形成されている。
【００４８】
モータギヤ１５は、開閉部材９をスライドさせるためのモータ（図示せず）の出力シャフトに配されており、二段ギヤ１４（後述）に噛み合っている。
【００４９】
二段ギヤ１４は、カムレバー１３の歯部１３ｃとモータギヤ１５とに噛み合っており、モータギヤ１５からの駆動力をカムレバー１３へ伝達させている。
【００５０】
以上のように構成されたディスク装置について、動作を説明する。
【００５１】
まず、図３に示すディスク装着状態では、開閉部材９は第１の位置（開口部３ｂを覆う位置）にあり、クランプベースは待機位置（ディスク載置面３ａに投影面上重ならない位置）にある。また、トラバース５は、図４に示すようにターンテーブル１がフロントカバー３の表面側に突出しないように、退避されている。この時、開閉部材９の凹部９ａ内に、ターンテーブル１の一部が位置している。
【００５２】
次に、ユーザーによってディスク４がリブ３ｃに載置され、記録または再生開始のスイッチ（図示せず）が操作されると、クランプベース１０が移動機構２１（図６参照）によって、図３に示す待機位置から矢印Ｂ方向（光ピックアップ２の移動方向に対して直交方向）へ移動し、図７に示すクランプ位置まで移動される。ここで、クランプベース１０におけるディスク載置面３ａに対向している面は、開口部３ｂの投影面より大きく構成されているので、クランプベース１０がクランプ位置へ移動した時、開口部３ｂを覆うことができ、ユーザー側から開口部３ｂ内を目視できないようにすることができる。
【００５３】
なお、クランプベース１０の移動は、移動機構２１によって行われる。すなわち、図６において、モータ１９に電流が印加されて出力シャフトが回転されると、回転駆動力がモータギヤ１８及び二段ギヤ１７を介して、ラック１０ｆに伝達される。ラック１０ｆに伝達された駆動力によって、クランプベース１０を矢印Ｂ（図３参照）へスライドさせることができる。クランプベース１０の移動時は、ラック部材１０ｇによって支持及び案内される。
【００５４】
次に、開閉部材９が、図７に示す状態から、ガイド部３ｄに支持されながら矢印Ｅ方向へ移動が開始され、図８に示すように少なくともトラバースベース５の回動動作を妨げない第２の位置まで移動される。これにより、トラバースベース５が、開口部３ｂを挿通移動可能な状態になる。
【００５５】
なお、開閉部材９は、モータ（図示せず）から出力される回転駆動力を、モータギヤ１５及び二段ギヤ１４を介して、カムレバー１３の歯部１３ｃへ伝達させることで移動動作させることができる。二段ギヤ１４から駆動力が伝達されたカムレバー１３は、回動軸１３ｂを軸に、図７に示す位置から反時計方向へ回動される。なお、カムレバー１３の長孔１３ａには、開閉部材９の裏面に設けられたピン９ｂが移動自在に挿入されているため、カムレバー１３が回動することによって長孔１３ａの内壁でピン９ｂが押され、開閉部材９を矢印Ｅ方向へ移動させることができる。
【００５６】
次に、トラバースベース５が、図４に示す位置から支軸５ａを中心に矢印Ｃ方向へ回動され、図９に示すようにターンテーブル１が開口部３ｂを挿通して記録再生位置まで移動される。この時、ディスク４は、ディスク４の中心孔がターンテーブル１に設けられたテーパ部に当接しながら、テーパ部に案内されて上方に移動して、ディスク４の外周縁部が、リブ３ｃに接しない位置に持ち上げられる。
【００５７】
また、この時、クランパ１１内に配された磁性体とターンテーブル１に配された被磁性体との間で生じる吸引力よって、クランパ１１がターンテーブル１のディスク載置面に吸引される。これにより、ディスク４はターンテーブル１とクランパ１１によってクランプされ、図９に示すような記録再生可能状態になる。ディスク４は、クランプされた際、図９に示すようにディスク載置面３ａ及び、リブ３ｃから離間された状態になるとともに、記録面が光ピックアップ２の移動方向に対して平行な状態になる。
【００５８】
次に、モータ（図示せず）によってターンテーブル１が回転されることにより、ディスク４を回転させることができる。次に、光ピックアップ２を動作させて、ディスク４に対して情報信号を記録したり、ディスク４に記録されている情報信号を再生させることができる。
【００５９】
次に、ディスク装置からディスク４を取り出す動作について説明する。
【００６０】
図８に示すように、ディスク４が記録再生位置にある状態において、イジェクトスイッチ（図示せず）が操作されると、ターンテーブル１を回転させているモータの動作が停止され、ターンテーブル１の回転が停止し、ディスク４の回転が停止する。
【００６１】
次に、図９に示すように、トラバースベース５は、支軸５ａを中心に矢印Ｇ方向へ回動され、記録再生状態から図４に示す待機状態に移動される。この時、ターンテーブル１とクランパ１１とが離間されるため、ディスク４のクランプ状態が解除され、ディスク４はターンテーブル１のディスク載置面から外れる。ターンテーブル１から外れたディスク４は、リブ３ｃ上に載置される。
【００６２】
次に、開閉部材９を駆動させるモータ（図示せず）を動作させることで、図８におけるモータギヤ１５、二段ギヤ１４を介して、カムレバー１３に回転駆動力が伝達される。カムレバー１３は、回動軸１３ｂを軸に時計方向へ回動される。カムレバー１３が回動されると、長孔１３ａに移動自在にピン９ｂが挿入されているので、長孔１３ａの内壁でピン９ｂが押される。ピン９ｂが押されることにより、開閉部材９は図８に示す第２の位置から矢印Ｆ方向へ移動が開始され、図７に示す第１の位置まで移動される。開閉部材９は、第１の位置において、開口部３ｂを覆い、トラバースベース５を含む装置内部のメカニズムなどが、外部から目視できないようにしている。
【００６３】
次に、図６に示すモータ１９を動作させることで、モータギヤ１８及び二段ギヤ１７を介して、ラック１０ｆに回転駆動力が伝達される。ラック１０ｆに伝達された駆動力によって、クランプベース１０が、図７に示すクランプ位置から矢印Ｆ方向へ移動され、図３に示す待機位置まで移動される。これにより、ディスク４が取り出し可能な状態になる。
【００６４】
以上のように本実施の形態によれば、フロントカバー３の一部にターンテーブル１が挿通移動できるような開口部３ｂを設け、さらにフロントカバー３の一部にリブ３ｃを設けることにより、ユーザーは、ディスク４をリブ３ｃに載置し、再生あるいは記録開始操作を行うだけで、ディスク４の中心がターンテーブル１の中心に合うように自動的に移送され、ディスク４の装着が容易に行うことができる。
【００６５】
また、ディスク着脱時に、クランプベース１０をフロントカバー３のディスク載置面３ａの鉛直方向への投影面上に重ならない位置に退避させることで、クランプベース１０が障害物にならずに容易にディスクを装置に着脱することができる。
【００６６】
また、クランプベース１０を光ピックアップ２の移動方向に対して直交方向から移動させる方式にすることで、ディスク装置における光ピックアップの移動方向の外形寸法を小さくできる。
【００６７】
また、ディスク装着時、クランプベース１０を図７に示すクランプ位置まで移動させてから、開閉部材９を図８に示す位置へ移動させて開口部３ｂを開く構成とし、またディスク取り出し時、開閉部材９で開口部３ｂを閉じてから、クランプベース１０を待機位置へ移動させる構成としたので、ディスク着脱状態、記録再生状態、およびディスク着脱状態と記録再生状態との間の動作中において、ターンテーブル１などの内部メカニズムを常に覆うことができる。これにより、ディスク４をディスク装置へ着脱させる際、障害物がないので、容易に着脱させることができる。また、ディスク４の着脱の際、ディスク４がターンテーブル１や光ピックアップ２に接触するのを防ぐことができ、ターンテーブル１や光ピックアップ２やディスク４を保護することができる。また、装置正面（ユーザー側）からは見えない状態にすることができ、外観を良くすることができる。
【００６８】
すなわち、開閉部材９を設けることで、ディスク装着前の状態においてフロントカバー３内に配されたトラバースベース５などのメカニズムが外部から目視できないようにすることができ、美観・品格を向上させることができる。また、図３に示す状態の時、開閉部材９によって、トラバースベース５を覆い隠すことができるので、トラバースベース５に配されている部品を外的要因から保護することができる。特に、光ピックアップ２が埃などに弱いことを考えると、開閉部材９を設けることで装置内部への埃などの侵入を防ぎ、光ピックアップ２などへの埃の付着を防止あるいは低減することができる。
【００６９】
また、開閉部材９およびクランプベース１０の表面（ディスク載置面側）は、ディスク載置面３ａと同色、同材料、同処理などを施してもよく、これにより開閉部材９が第１の位置にある時、ディスク載置面３ａとの一体感を強調することができ、品格を向上させることができる。
【００７０】
さらに、本実施の形態では、クランプベース１０がクランプ位置まで移動が完了してから、開閉部材９を開く動作を開始させる構成としたが、クランプペース１０がクランプ位置に到達する前に、開閉部材９を開く動作を開始させる構成としてもよい。
【００７１】
例えば、図３に示す状態からクランプベース１０を矢印Ｂ方向へ移動を開始させ、図１０に示すようにクランプベース１０の一部が、投影面上、開閉部材９の一部と重なる位置までクランプベース１０が移動された時に、開閉部材９の移動（矢印Ｅ方向）を開始させる。開閉部材９とクランプベース１０は、ほぼ同速度で矢印Ｅ方向へスライドされる。クランプベース１０がクランプ位置へ到達した時、クランプベース１０はスライド動作が停止されるが、開閉部材９はそのままスライド動作を継続し、図８に示す第２の位置まで移動される。
【００７２】
また、上記と逆手順にて動作させることで、ディスク４を取り出し可能な状態へ移行させることができる。すなわち、図８に示す状態から、開閉部材９を矢印Ｆ方向へスライドを開始させ、開閉部材９の一部がクランプベース１０の一部と、投影面上、重なる位置まで移動された時、クランプベース１０の移動（矢印Ｆ方向）を開始させる。そして、開閉部材９とクランプベース１０を、ほぼ同じ速度で矢印Ｆ方向へスライドさせ、開閉部材９が開口部３ｂを閉じる位置（図３の位置）へ到達した時に、開閉部材９のスライド動作を停止させる。クランプベース１０は、さらにスライド動作を継続し、待機位置（図３の位置）へ到達した時にスライド動作を停止させる。
【００７３】
このように動作させることで、ディスク４の着脱に要する時間を短縮させることができる。また、開閉部材９及びクランプベース１０の移動の途中において、図１０に示すようにクランプベース１０の一部と開閉部材９の一部とをオーバーラップさせているので、開口部３ｂ内を外部から目視できないようにできる。
【００７４】
また、本実施の形態は、ケースに収納されているディスク（以降カートリッジと呼ぶ）を装着する場合についても適用できる。カートリッジを装着した場合の動作で、ディスクを装着した場合と異なる点は、図示しないが、トラバースが記録再生位置に移動される前に、カートリッジのシャッターを開け、また、トラバースが待機位置に移動された後に、シャッターを閉じるシャッターの開閉機構が必要である点である。
【００７５】
また、本実施の形態は、ディスクのみを記録再生できるディスク専用のディスク装置にも、カートリッジのみを記録再生できるディスク装置にも、ディスクとカートリッジの両方を記録再生できるディスク装置にも適用することが可能である。
【００７６】
なお、本発明は上記した実施の形態に限定されるものではない。
【産業上の利用可能性】
【００７７】
本発明にかかるディスク装置は、ディスクを装着しやすく、トラバース部を保護し、外観を良くすることが可能であり、ＤＶＤプレーヤーやＤＶＤレコーダーなどの据え置き型ディスク装置や、ＣＤプレーヤー、ディスクドライブを備えたコンピュータなどに有用である。
【図面の簡単な説明】
【００７８】
【図１】本発明の実施の形態１におけるディスク装置を適用したディスクシステムの外観を示す斜視図
【図２】実施の形態１におけるディスクシステムの外観を示す斜視図
【図３】実施の形態１におけるディスク装置のディスク装着状態の平面図
【図４】実施の形態１におけるディスク装置のディスク装着状態の側面断面図
【図５】実施の形態１におけるクランプベースの上側の支持部を示す拡大断面図
【図６】実施の形態１におけるクランプベースの下側の支持部を示す拡大断面図
【図７】実施の形態１におけるディスク装置のクランプベースのクランプ位置移動完了状態の平面図
【図８】実施の形態１におけるディスク装置のディスクのディスククランプ状態の平面図
【図９】実施の形態１におけるディスク装置のディスクのディスククランプ状態の側面断面図
【図１０】実施の形態１におけるディスク装置の他の動作例を示す平面図
【符号の説明】
【００７９】
１  ターンテーブル
２  光ピックアップ
３  フロントカバー
３ａ  ディスク載置面
３ｂ  開口部
４  ディスク
５  トラバースベース
９  開閉部材
１０  クランプベース
１１  クランパ
【図１】
2006114204.tif 000003
【図２】
2006114204.tif 000004
【図３】
2006114204.tif 000005
【図４】
2006114204.tif 000006
【図５】
2006114204.tif 000007
【図６】
2006114204.tif 000008
【図７】
2006114204.tif 000009
【図８】
2006114204.tif 000010
【図９】
2006114204.tif 000011
【図１０】
2006114204.tif 000012